(57)【要約】【課題】オブジェクトの模様の変化を長時間に亘って容易に楽しむことができる万華鏡および万華鏡用継手を提供する。【解決手段】万華鏡１は、オブジェクト２を収容可能な第１のオブジェクトケース１０と、オブジェクトを収容可能な第２のオブジェクトケース２０と、ミラーシステムが内蔵された鏡筒部材３０と、第１と第２のオブジェクトケースを連通しオブジェクトを通過させる連通路が設けられた継手４０と、を有している。継手はさらに、第１のオブジェクトケースに設けた第１の取付部７１ａを接続するための第１の接続部材７１ｂと、第２のオブジェクトケースに設けた第２の取付部７２ａを接続するための第２の接続部材７２ｂと、鏡筒部材に設けた第３の取付部７３ａを接続するための第３の接続部材７３ｂと、が設けられている。【選択図】図１
0003164937.tif 000002
【実用新案登録請求の範囲】
【請求項１】
開口部を備えオブジェクトを収容可能な第１のオブジェクトケースと、
開口部を備えオブジェクトを収容可能な第２のオブジェクトケースと、
ミラーシステムが内蔵された鏡筒部材と、
前記第１と第２のオブジェクトケースを連通しオブジェクトを通過させる連通路が設けられた継手と、を有し、
前記継手はさらに、
前記第１のオブジェクトケースの前記開口部を前記連通路に連通させた状態で前記第１のオブジェクトケースに設けた取付部を接続するための第１の接続部材と、
前記第２のオブジェクトケースの前記開口部を前記連通路に連通させた状態で前記第２のオブジェクトケースに設けた取付部を接続するための第２の接続部材と、
前記ミラーシステムの先端側を前記連通路に向かい合わせた状態で前記鏡筒部材に設けた取付部を接続するための第３の接続部材と、が設けられてなる万華鏡。
【請求項２】
前記鏡筒部材を覗くときに前記連通路を照明するための接眼用光源を備えた接眼用ユニットと、
前記ミラーシステムによって得られる影像を投影するための投影用光源を備えた投影用ユニットと、をさらに有し、
前記継手はさらに、
前記連通路を照明する位置に配置され前記接眼用ユニットに設けた取付部を接続するための第４の接続部材と、
前記連通路を挟んで前記第３の接続部材に向かい合う位置に配置され前記投影用ユニットに設けた取付部を接続するための第５の接続部材と、が設けられてなる請求項１に記載の万華鏡。
【請求項３】
前記鏡筒部材の基端部に着脱自在に取り付けられ接眼レンズを備える接眼レンズキャップと、
前記鏡筒部材の基端部に着脱自在に取り付けられ投影レンズを備える投影レンズキャップと、をさらに有し、
前記継手はさらに、前記接眼レンズキャップおよび前記投影レンズキャップのうち使用に供していない方のレンズキャップを保持するための保持部が設けられてなる請求項１または請求項２に記載の万華鏡。
【請求項４】
前記第１と第２のオブジェクトケースのそれぞれは、飲料用ペットボトルにおけるボトル部から形成され、
前記第１と第２のオブジェクトケースの取付部のそれぞれは、ボトル部の口ネジ部から形成され、
前記継手における前記第１と第２の接続部材のそれぞれは、前記口ネジ部に係合可能な飲料用ペットボトルにおけるキャップ部から形成され、
前記鏡筒部材における取付部および前記継手における前記第３の接続部材のうちの一方は、飲料用ペットボトルにおけるボトル部から切り離した口ネジ部から形成され、他方は、前記切り離した口ネジ部に係合可能な飲料用ペットボトルにおけるキャップ部から形成されてなる請求項１に記載の万華鏡。
【請求項５】
前記接眼用ユニットにおける取付部および前記継手における前記第４の接続部材のうちの一方は、飲料用ペットボトルにおけるボトル部から切り離した口ネジ部から形成され、他方は、前記切り離した口ネジ部に係合可能な飲料用ペットボトルにおけるキャップ部から形成され、
前記投影用ユニットにおける取付部および前記継手における前記第５の接続部材のうちの一方は、飲料用ペットボトルにおけるボトル部から切り離した他の口ネジ部から形成され、他方は、前記切り離した他の口ネジ部に係合可能な飲料用ペットボトルにおけるキャップ部から形成されてなる請求項２に記載の万華鏡。
【請求項６】
前記継手における前記保持部は、前記接眼レンズキャップおよび前記投影レンズキャップのそれぞれにおける筒部を嵌め込み自在な飲料用ペットボトルにおけるキャップ部から形成されてなる請求項３に記載の万華鏡。
【請求項７】
開口部を備えた第１のオブジェクトケースと、開口部を備えた第２のオブジェクトケースと、ミラーシステムが内蔵された鏡筒部材と、を有する万華鏡に適用される万華鏡用継手であって、
前記第１と第２のオブジェクトケースを連通しオブジェクトを通過させる連通路と、
前記第１のオブジェクトケースの前記開口部を前記連通路に連通させた状態で前記第１のオブジェクトケースに設けた取付部を接続するための第１の接続部材と、
前記第２のオブジェクトケースの前記開口部を前記連通路に連通させた状態で前記第２のオブジェクトケースに設けた取付部を接続するための第２の接続部材と、
前記ミラーシステムの先端側を前記連通路に向かい合わせた状態で前記鏡筒部材に設けた取付部を接続するための第３の接続部材と、が設けられてなる万華鏡用継手。
【考案の詳細な説明】
【技術分野】
【０００１】
本考案は、万華鏡および万華鏡用継手に関する。
【背景技術】
【０００２】
万華鏡は、一般に、ミラーシステムが内蔵された万華鏡用筒状部材と、万華鏡用筒状部材の先端（前端）に備えられオブジェクトが収容されたオブジェクト収容部材とを有している（実開平５−２９０１８号公報を参照）。
【０００３】
万華鏡を使用する場合、万華鏡用筒状部材の基端（後端）に設けられた接眼部を覗きながら、万華鏡を回転させる。これにより、オブジェクト収容部材は万華鏡用筒状部材とともに回転し、オブジェクト収容部材の内部に収容された多数のオブジェクトは、オブジェクト収容部材内で移動する。その結果、使用者は、光を受けたオブジェクトの模様が刻々と変化する映像を楽しむことができる。
【考案の概要】
【考案が解決しようとする課題】
【０００４】
しかしながら、特許文献１に記載の万華鏡では、オブジェクト収容部材は万華鏡用筒状部材の先端に設けられており、その容積は比較的小さいため、模様の変化を長時間に亘って楽しむためにはオブジェクト収容部材を頻繁に移動しなければならないという問題がある。
【０００５】
本考案は上述した課題に鑑みてなされたものであり、本考案の目的は、オブジェクトの模様の変化を長時間に亘って容易に楽しむことができる、万華鏡および万華鏡用継手を提供することにある。
【課題を解決するための手段】
【０００６】
上記目的を達成するための本考案は、開口部を備えオブジェクトを収容可能な第１のオブジェクトケースと、
開口部を備えオブジェクトを収容可能な第２のオブジェクトケースと、
ミラーシステムが内蔵された鏡筒部材と、
前記第１と第２のオブジェクトケースを連通しオブジェクトを通過させる連通路が設けられた継手と、を有し、
前記継手はさらに、
前記第１のオブジェクトケースの前記開口部を前記連通路に連通させた状態で前記第１のオブジェクトケースに設けた取付部を接続するための第１の接続部材と、
前記第２のオブジェクトケースの前記開口部を前記連通路に連通させた状態で前記第２のオブジェクトケースに設けた取付部を接続するための第２の接続部材と、
前記ミラーシステムの先端側を前記連通路に向かい合わせた状態で前記鏡筒部材に設けた取付部を接続するための第３の接続部材と、が設けられてなる万華鏡である。
【０００７】
また、上記目的を達成するための本考案は、開口部を備えた第１のオブジェクトケースと、開口部を備えた第２のオブジェクトケースと、ミラーシステムが内蔵された鏡筒部材と、を有する万華鏡に適用される万華鏡用継手であって、
前記第１と第２のオブジェクトケースを連通しオブジェクトを通過させる連通路と、
前記第１のオブジェクトケースの前記開口部を前記連通路に連通させた状態で前記第１のオブジェクトケースに設けた取付部を接続するための第１の接続部材と、
前記第２のオブジェクトケースの前記開口部を前記連通路に連通させた状態で前記第２のオブジェクトケースに設けた取付部を接続するための第２の接続部材と、
前記ミラーシステムの先端側を前記連通路に向かい合わせた状態で前記鏡筒部材に設けた取付部を接続するための第３の接続部材と、が設けられてなる万華鏡用継手である。
【考案の効果】
【０００８】
本考案の万華鏡によれば、第１と第２のオブジェクトケースを連通路によって連通し、その連通路を落下して通過するオブジェクトの模様の変化を楽しむことができる。第１と第２のオブジェクトケースの容積を比較的大きいものとすることができ、オブジェクトの模様の変化を長時間に亘って容易に楽しむことができる。
【０００９】
本考案の万華鏡用継手によれば、オブジェクトの模様の変化を長時間に亘って容易に楽しむことができる万華鏡に適用して好適な万華鏡用継手を得ることができる。
【００１０】
本考案の万華鏡および万華鏡用継手は、飲料用ペットボトルを再利用して、簡単に製造することができる利点がある。
【図面の簡単な説明】
【００１１】
【図１】本考案の実施形態に係る万華鏡を示す斜視図である。
【図２】図１の２−２線に沿う要部断面図である。
【図３】鏡筒部材を示す要部断面図である。
【図４】図１の４−４線に沿う要部断面図である。
【考案を実施するための形態】
【００１２】
以下、本考案の実施の形態を、図面を参照して詳細に説明する。なお、図に付したＸＹＺ軸は、継手４０の連通路４１が伸びる方向をＺ軸とし、Ｚ軸に直交するＸＹ平面上で鏡筒部材３０が伸びる方向をＸ軸とし、他の軸をＹ軸としている。また、万華鏡１を構成する各部材について、万華鏡１を組み立てた状態において継手４０側に位置する側を先端側とし、反対側を基端側とする。
【００１３】
図１〜図４を参照して、本実施形態に係る万華鏡１は、概説すれば、開口部１３を備えオブジェクト２を収容可能な第１のオブジェクトケース１０と、開口部２３を備えオブジェクト２を収容可能な第２のオブジェクトケース２０と、ミラーシステム３１が内蔵された鏡筒部材３０と、第１と第２のオブジェクトケース１０、２０を連通しオブジェクト２を通過させる連通路４１が設けられた継手４０と、を有している。図示する万華鏡１はさらに、鏡筒部材３０を覗くときに連通路４１を照明するための接眼用光源８１を備えた接眼用ユニット８０と、ミラーシステム３１によって得られる影像を投影するための投影用光源９１を備えた投影用ユニット９０と、を有している。万華鏡１はさらに、鏡筒部材３０の基端部に着脱自在に取り付けられ接眼レンズ１０１を備える接眼レンズキャップ１００と、鏡筒部材３０の基端部に着脱自在に取り付けられ投影レンズ１１１を備える投影レンズキャップ１１０と、有している。
【００１４】
継手４０には、第１のオブジェクトケース１０に設けた取付部７１ａ（以下、「第１の取付部７１ａ」ともいう）を接続するための第１の接続部材７１ｂと、第２のオブジェクトケース２０に設けた取付部７２ａ（以下、「第２の取付部７２ａ」ともいう）を接続するための第２の接続部材７２ｂと、鏡筒部材３０に設けた取付部７３ａ（以下、「第３の取付部７３ａ」ともいう）を接続するための第３の接続部材７３ｂと、接眼用ユニット８０に設けた取付部７４ａ（以下、「第４の取付部７４ａ」ともいう）を接続するための第４の接続部材７４ｂと、投影用ユニット９０に設けた取付部７５ａ（以下、「第５の取付部７５ａ」ともいう）を接続するための第５の接続部材７５ｂとが設けられている。継手４０にはさらに、接眼レンズキャップ１００および投影レンズキャップ１１０のうち使用に供していない方のレンズキャップ１００（または１１０）を保持するための保持部７６が設けられている。
【００１５】
本実施形態にあっては、第１と第２のオブジェクトケース１０、２０のそれぞれは、飲料用ペット（ＰＥＴ）ボトルにおけるボトル部を再利用している。さらに、第１〜第５の取付部７１ａ〜７５ａ、第１〜第５の接続部材７１ｂ〜７５ｂ、および保持部７６には、ボトル部の口ネジ部、ボトル部から切り離した口ネジ部、あるいは飲料用ペットボトルにおけるキャップ部を再利用して形成している。
【００１６】
以下、詳述する。
【００１７】
第１のオブジェクトケース１０は、飲料用ペットボトルにおけるボトル部１１（以下、「第１のボトル部１１」ともいう）から形成されている。第１のボトル部１１の口ネジ部１２（以下、「第１の口ネジ部１２」ともいう）に開口部１３が設けられている。第１の口ネジ部１２の外周面には、雄ネジ部１４が形成されている。第１のボトル部１１におけるこの第１の口ネジ部１２から、継手４０の第１の接続部材７１ｂに接続するための第１の取付部７１ａが形成されている。
【００１８】
第２のオブジェクトケース２０も同様に、飲料用ペットボトルにおけるボトル部２１（以下、「第２のボトル部２１」ともいう）から形成されている。第２のボトル部２１の口ネジ部２２（以下、「第２の口ネジ部２２」ともいう）に開口部２３が設けられている。第２の口ネジ部２２の外周面には、雄ネジ部２４が形成されている。第２のボトル部１２におけるこの第２の口ネジ部２２から、継手４０の第２の接続部材７２ｂに接続するための第２の取付部７２ａが形成されている。
【００１９】
第１と第２のオブジェクトケース１０、２０には、オブジェクト２とともに、水、油等の液体が適宜の量だけ注入される。オブジェクト２としては、紙、ガラス、金属、合成樹脂等の小片、より具体的には、ビーズやアルミホイールの細片等が使用される。小片の形状は、板体（シート）、球体、棒状体等の任意の形状があり得る。第１と第２のオブジェクトケース１０、２０は、透明でもよいし、非透明でもよい。
【００２０】
鏡筒部材３０は、ミラーシステム３１と、当該ミラーシステム３１が内蔵される筒体３２とを備えている。
【００２１】
ミラーシステム３１は、例えば、３枚の帯板状のミラー（例えば、１０．８ｍｍ×７８ｍｍ、厚さ１ｍｍ）を三角筒形状に組み合わせて結合してなるスリーミラーシステムである。ミラーシステム３１の基端は、飲料用ペットボトルにおけるキャップ部３３に形成した孔部３３ａに、キャップ部３３の上面から外方に突出しない位置に挿入されている。キャップ部３３の内周面には、雌ネジ部３４が形成されている。
【００２２】
なお、ミラーシステム３１の形態は任意のものが使用可能である。例えば２枚の帯板状のミラーと１枚の光吸収板とを三角筒形状に組み合わせたものであってもよい。また、ミラーシステムの横断面は正三角形に限られるものではなく、二等辺三角形等の他の三角形でもよく、さらには四角形、円形等の他の形状であってもよい。
【００２３】
筒体３２は、飲料用ペットボトルにおけるボトル部から切り離した口ネジ部３５ａ、３５ｂ、３５ｃを複数個（図示例では３個）接続した本体部３５を有している。本体部３５の基端側に位置する口ネジ部３５ａの雄ネジ部３６に、ミラーシステム３１のキャップ部３３の雌ネジ部３４を係合させることによって、ミラーシステム３１を筒体３２に対して固定することが可能となっている。本体部３５の先端には、飲料用ペットボトルにおけるキャップ部３７が接着剤によって取り付けられている。このキャップ部３７には、ミラーシステム３１を挿通するための孔部３７ａが形成されている。キャップ部３７の内周面には、雌ネジ部３８が形成されている。鏡筒部材３０におけるこのキャップ部３７から、継手４０の第３の接続部材７３ｂに接続するための第３の取付部７３ａが形成されている。
【００２４】
接眼用ユニット８０は、接眼用光源８１と、接眼用光源８１が取り付けられた支持プレート８２と、支持プレート８２に取り付けられ飲料用ペットボトルにおけるボトル部から切り離した口ネジ部８３とを有している。接眼用光源８１は、例えば、ＬＥＤランプ８１ａを有している。口ネジ部８３は接着剤によって支持プレート８２に取り付けられている。口ネジ部８３の外周面には、雄ネジ部８４が形成されている。接眼用ユニット８０におけるこの口ネジ部８３から、継手４０の第４の接続部材７４ｂに接続するための第４の取付部７４ａが形成されている。
【００２５】
投影用ユニット９０は、投影用光源９１と、投影用光源９１が取り付けられ飲料用ペットボトルにおけるボトル部から切り離した口ネジ部９２とを有している。投影用光源９１は、例えば、接眼用光源８１よりも明るい高出力のＬＥＤランプ９１ａを有している。口ネジ部９２は接着剤によって投影用光源９１のケーシングに取り付けられている。口ネジ部９２の外周面には、雄ネジ部９３が形成されている。投影用ユニット９０におけるこの口ネジ部９２から、継手４０の第５の接続部材７５ｂに接続するための第５の取付部７５ａが形成されている。
【００２６】
図３を参照して、接眼レンズキャップ１００は、一端が開口された筒部１０２と、筒部１０２の上面に取り付けられた接眼レンズ１０１とを有している。接眼レンズ１０１は、接着材によって筒部１０２の上面に固着される。接眼レンズ１０１は、例えばプラスチックレンズである。
【００２７】
図４参照して、投影レンズキャップ１１０は、一端が開口された筒部１１２と、筒部１１２の上面に取り付けられた投影レンズ１１１とを有している。投影レンズ１１１は、接着材によって筒部１１２の上面に固着される。投影レンズ１１１は、例えばプラスチックレンズである。
【００２８】
接眼レンズキャップ１００の筒部１０２および投影レンズキャップ１１０の筒部１１２は、鏡筒部材３０の基端部に設けられるキャップ部３３、あるいは継手４０の保持部７６に対して着脱自在に取り付けることができる。したがって、オブジェクト２の模様の変化を直接覗いて楽しんだり、スクリーンに投影して楽しんだりすることができる。
【００２９】
なお、接眼レンズ１０１や投影レンズ１１１は、例えば、簡易双眼鏡のレンズを流用して安価に用意することができる。
【００３０】
継手４０は、図に付したＸＹＺ軸を参照して、第１と第２の接続部材７１ｂ、７２ｂが連通路４１を挟んでＺ軸上に設けられ、第３と第５の接続部材７３ｂ、７５ｂが連通路４１を挟んでＸ軸上に設けられ、第４の接続部材７４ｂと保持部７６とが連通路４１を挟んでＹ軸上に設けられている。
【００３１】
継手４０は、飲料用ペットボトルにおけるボトル部から切り離した口ネジ部４２ａ、４２ｂを複数個（図示例では２個）接続した本体部４２を有している。本体部４２には、連通路４１を挿通するための孔部４２ｃが形成されている。連通路４１は、パイプ部材４３の内部通路から形成されている。パイプ部材４３は、透明な材料から形成されている。
【００３２】
パイプ部材４３の一端部には、リング形状の支持プレート４４が接着剤によって取り付けられている。パイプ部材４３および支持プレート４４には、第１のボトル部１１の第１の口ネジ部１２に係合可能な飲料用ペットボトルにおけるキャップ部４５が接着剤によって取り付けられている。このキャップ部４５および支持プレート４４には、パイプ部材４３を挿通するための孔部４５ａ、４４ａが形成されている。キャップ部４５の内周面には、雌ネジ部４６が形成されている。このキャップ部４５から、継手４０の第１の接続部材７１ｂが形成されている。
【００３３】
パイプ部材４３の他端部には、リング形状の支持プレート４７が接着剤によって取り付けられている。パイプ部材４３および支持プレート４７には、第２のボトル部１２の第２の口ネジ部２２に係合可能な飲料用ペットボトルにおけるキャップ部４８が接着剤によって取り付けられている。このキャップ部４８および支持プレート４７には、パイプ部材４３を挿通するための孔部４８ａ、４７ａが形成されている。キャップ部４８の内周面には、雌ネジ部４９が形成されている。このキャップ部４８から、継手４０の第２の接続部材７２ｂが形成されている。
【００３４】
本体部４２の一端部に位置する口ネジ部４２ａの外周面には、鏡筒部材３０のキャップ部３７に係合可能な雄ネジ部５０が形成されている。この口ネジ部４２ａから、継手４０の第３の接続部材７３ｂが形成されている。
【００３５】
本体部４２の他端部には、飲料用ペットボトルにおけるキャップ部５１が接着剤によって取り付けられている。このキャップ部５１の頂部には、投影用ユニット９０から照射された光を通過させるための孔部５１ａが形成されている。キャップ部５１の内周面には、雌ネジ部５２が形成されている。このキャップ部５１から、継手４０の第５の接続部材７５ｂが形成されている。
【００３６】
図４を参照して、本体部４２には、Ｙ軸方向に伸びる一対の支持パイプ５３、５４が取り付けられている。支持パイプ５３、５４のそれぞれには、支持プレート５５、５６が接着剤によって取り付けられている。
【００３７】
図４において左手側に示される支持プレート５５には、飲料用ペットボトルにおけるキャップ部５７が接着剤によって取り付けられている。このキャップ部５７および支持プレート５５には、支持パイプ５３を挿通するための孔部５５ａ、５７ａが形成されている。キャップ部５７の内周面には、雌ネジ部５８が形成されている。このキャップ部５７から、継手４０の第４の接続部材７４ｂが形成されている。支持パイプ５３には、接眼用ユニット８０から照射された光を通過させるための中心孔５３ａが形成されている。
【００３８】
図４において右手側に示される支持プレート５６には、飲料用ペットボトルにおけるボトル部から切り離した口ネジ部５９が接着剤によって取り付けられている。この口ネジ部５９には、係合可能な飲料用ペットボトルにおけるキャップ部６０が取り付けられている。キャップ部６０には、接眼レンズキャップ１００および投影レンズキャップ１１０のそれぞれにおける筒部１０２、１１２を嵌め込み自在である。このキャップ部６０から、継手４０の保持部７６が形成されている。
【００３９】
本実施形態の万華鏡１を使用する場合には、例えば、第１のボトル部１１を上方に、第２のボトル部１２を下方に位置させた状態にする。第１のボトル部１１内のオブジェクト２は、順次、連通路４１を落下して通過して、第２のボトル部１２内に収納される。鏡筒部材３０の基端部に取り付けた接眼レンズキャップ１００から覗き込むことによって、連通路４１を落下して通過するオブジェクト２の模様の変化を楽しむことができる。第１と第２のボトル部１２の容積を比較的大きいものとすることができ、オブジェクト２の模様の変化を長時間に亘って容易に楽しむことができる。第１のボトル部１１内のオブジェクト２がすべて落下すれば、第１と第２のボトル部１１、１２を上下反転すれば、オブジェクト２の模様の変化を再び長時間に亘って容易に楽しむことができる。
【００４０】
鏡筒部材３０を覗くときには、投影用ユニット９０を取り外してもよい。継手４０の第５の接続部材７５ｂを形成するキャップ部５１の孔部５１ａから連通路４１を照明するための外光を取り込むことができ、接眼用光源８１を点灯しなくても、オブジェクト２の模様の変化を楽しむことができる。
【００４１】
投影用ユニット９０を取りつけたままでも、接眼用ユニット８０の接眼用光源８１を点灯することによって、オブジェクト２の模様の変化を楽しむことができる。接眼用ユニット８０を備えているので、暗い場所においても、オブジェクト２の模様の変化を楽しむことができる。
【００４２】
ミラーシステム３１によって得られる影像を投影するときには次のように行う。まず、鏡筒部材３０の基端部に取り付けていた接眼レンズキャップ１００を取り外し、継手４０の保持部７６に取り付けていた投影レンズキャップ１１０に付け替える。取り外した接眼レンズキャップ１００は、継手４０の保持部７６に嵌め込んで保持する。次いで、例えば、第１のボトル部１１を上方に、第２のボトル部１２を下方に位置させた状態で、第２のボトル部１２をテーブルなどの上に載置する。そして、投影用ユニット９０の投影用光源９１を点灯することによって、ミラーシステム３１によって得られる影像がスクリーンや壁などに拡大して投影され、オブジェクト２の模様の変化を拡大して楽しんだり、多数の人が一緒に楽しんだりすることができる。投影するときにも、オブジェクト２の模様の変化を長時間に亘って容易に楽しむことができる。
【００４３】
鏡筒部材３０は継手４０に対して着脱自在であるので、種類の異なるミラーシステム３１が内蔵された鏡筒部材３０に交換することによって、オブジェクト２の新たな模様の変化を楽しむこともできる。
【００４４】
さらに、本実施形態の万華鏡用継手４０によれば、オブジェクト２の模様の変化を長時間に亘って容易に楽しむことができる万華鏡に適用して好適な万華鏡用継手を得ることができる。
【００４５】
しかも、本実施形態の万華鏡１および万華鏡用継手４０によれば、飲料用ペットボトルにおけるボトル部、ボトル部の口ネジ部、ボトル部から切り離した口ネジ部、あるいは飲料用ペットボトルにおけるキャップ部を再利用していることから、簡単に製造することができる利点がある。
【００４６】
本考案は、上記した実施形態のみに限定されるものではなく、実用新案登録請求の範囲内において、種々改変することができる。
【００４７】
鏡筒部材３０における第３の取付部７３ａおよび継手４０における第３の接続部材７３ｂのうちの一方は、飲料用ペットボトルにおけるボトル部から切り離した口ネジ部から形成され、他方は、切り離した口ネジ部に係合可能な飲料用ペットボトルにおけるキャップ部から形成されていればよい。したがって、上述した実施形態とは逆に、鏡筒部材３０における第３の取付部７３ａを口ネジ部から形成し、継手４０における第３の接続部材７３ｂをキャップ部から形成してもよい。
【００４８】
接眼用ユニット８０における第４の取付部７４ａおよび継手４０における第４の接続部材７４ｂのうちの一方は、飲料用ペットボトルにおけるボトル部から切り離した口ネジ部から形成され、他方は、切り離した口ネジ部に係合可能な飲料用ペットボトルにおけるキャップ部から形成されていればよい。したがって、上述した実施形態とは逆に、接眼用ユニット８０における第４の取付部７４ａをキャップ部から形成し、継手４０における第４の接続部材７４ｂを口ネジ部から形成してもよい。
【００４９】
投影用ユニット９０における第５の取付部７５ａおよび継手４０における第５の接続部材７５ｂのうちの一方は、飲料用ペットボトルにおけるボトル部から切り離した他の口ネジ部から形成され、他方は、切り離した他の口ネジ部に係合可能な飲料用ペットボトルにおけるキャップ部から形成されていればよい。したがって、上述した実施形態とは逆に、投影用ユニット９０における第５の取付部７５ａをキャップ部から形成し、継手４０における第５の接続部材７５ｂを口ネジ部から形成してもよい。
【００５０】
飲料用ペットボトルにおけるボトル部や口ネジ部等を再利用した実施形態について説明したが、本考案はこれに必ずしも限定されるものではない。例えば、本考案は、専用のオブジェクトケースや専用の継手を用いる場合にも適用可能である。
【００５１】
液体の抵抗によりオブジェクト２をゆっくりと動かして、オブジェクト２による模様の変化をじっくりと楽しむことができる実施形態について説明したが、本考案はこれに必ずしも限定されるものではない。例えば、本考案は、液体を注入しない場合にも適用可能である。
【符号の説明】
【００５２】
１      万華鏡、
２      オブジェクト、
１０    第１のオブジェクトケース、
１１    第１のボトル部（ボトル部）、
１２    第１の口ネジ部（口ネジ部、第１の取付部）、
１３    開口部、
２０    第２のオブジェクトケース、
２１    第２のボトル部（ボトル部）、
２２    第２の口ネジ部（口ネジ部、第２の取付部）、
２３    開口部、
３０    鏡筒部材、
３１    ミラーシステム、
３２    筒体、
３７    キャップ部（第３の取付部）、
４０    継手（万華鏡用継手）、
４１    連通路、
４５    キャップ部（第１の接続部材）、
４８    キャップ部（第２の接続部材）、
４２ａ  口ネジ部（第３の接続部材）、
５１    キャップ部（第５の接続部材）、
５７    キャップ部（第４の接続部材）、
６０    キャップ部（保持部）、
７１ａ  第１の取付部（第１のオブジェクトケースに設けた取付部）、
７１ｂ  第１の接続部材、
７２ａ  第２の取付部（第２のオブジェクトケースに設けた取付部）、
７２ｂ  第２の接続部材、
７３ａ  第３の取付部（鏡筒部材に設けた取付部）、
７３ｂ  第３の接続部材、
７４ａ  第４の取付部（接眼用ユニットに設けた取付部）、
７４ｂ  第４の接続部材、
７５ａ  第５の取付部（投影用ユニットに設けた取付部）、
７５ｂ  第５の接続部材、
７６    保持部、
８０    接眼用ユニット、
８１    接眼用光源、
８３    口ネジ部（第４の取付部）、
９０    投影用ユニット、
９１    投影用光源、
９２    口ネジ部（第５の取付部）、
１００  接眼レンズキャップ、
１０１  接眼レンズ、
１１０  投影レンズキャップ、
１１１  投影レンズ。
【図１】
0003164937.tif 000003
【図２】
0003164937.tif 000004
【図３】
0003164937.tif 000005
【図４】
0003164937.tif 000006